(57)【要約】      （修正有）【課題】衛生的で、形状が安定、使い勝手が良く、見栄えが良い。【解決手段】トイレブラシケース１の容器内部に除菌液２を入れ、常にトイレブラシ３を除菌液に漬けた状態にすることにより、病原菌等を排除でき、尚且つ除菌液の付いたブラシで便器を洗浄するために、トイレ内の衛生状態を良くすることが可能となる。消臭剤及び芳香剤が、除菌液と一体化されるので、より効果的である。ケースの底部におもり４を装着することにより、重心が低く安定し、ブラシの使用時等の転倒がほとんどなくなり、そのうえ、ブラシのフックの利用により使用後のブラシの収納も容易になる。ケースの外形においても、動物や人形の形状にしたり、容器の外部にイラストや写真を載せることにより、この容器を置くだけで衛生的になるだけでなく、トイレ内の雰囲気を和ませたり、楽しくすることが可能になる。【選択図】図１
0003109301.tif 000002
【実用新案登録請求の範囲】
【請求項１】
トイレブラシケースの容器内部に除菌液を入れ、常にトイレブラシを除菌液に漬けた状態にすることにより、病原菌等を排除し、尚且つ除菌液の付いたブラシで便器を洗浄するために、トイレ内の衛生状態を良くすることのできるトイレブラシケースである。
【請求項２】
トイレブラシケースの底部におもりを装着し、尚且つ形状をだるま状にして、倒れにくい構造とし、除菌液が外部にこぼれにくい構造とした請求項１のトイレブラシケースである。
【請求項３】
ケースのふたを上に開く方式とし、ケースの内側部分に板状の突起部分を取付け、またブラシの先端部分にフックを取付けることにより、容易にブラシをブラシケースに収めることができる構造とした請求項１のトイレブラシケースである。
【請求項４】
容器の外周部分にポケット部分をつくり、顆粒状の消臭剤及び芳香剤を収納することのできる請求項１のトイレブラシケースである。
【請求項５】
容器の外観部分を動物（例：くま・うさぎ・コアラ等）の形状にしたり、又は容器の外周部分にイラストを描く等により、トイレの雰囲気アップを図った請求項１のトイレブラシケースである。
【考案の詳細な説明】
【技術分野】
【０００１】本考案は、下記の５項目の実現を図ったトイレブラシケースである。
１．トイレブラシ及びトイレブラシケースを清潔にすることにより、病原菌等を排除し、トイレ全体を衛生的に保つ。
２．除菌されて衛生的なトイレブラシケースに、消臭剤及び芳香剤を加えることにより、除菌効果と共に悪臭を排除しより快適となる。
３．転倒しにくい構造のトイレブラシケースとする。
４．ブラシの使用時、トイレブラシケースの転倒等を気にせず容易に使用できる。
５．ケースの外形部分を動物の形状にしたり、容器の外周部分にイラスト等を描くことにより、トイレ内の雰囲気アップを図る。
【背景分野】
】
【０００２】従来のトイレブラシケースでは、便器洗浄後のブラシは汚れたままブラシケースに置かなければならないので、極めて不衛生であり、トイレブラシケースは汚らしいという現実のイメージがある。
【０００３】又、従来のトイレブラシケースではブラシケースが不安定なため、ブラシの使用時やトイレ内の掃除時に転倒することが多く、その場合に自らの手で起こす必要があり、汚れたブラシケースに触わることは極めて不衛生である。
【０００４】そして、ブラシケースの形状も単調であり、見栄えも悪く、トイレ内の雰囲気を明るく楽しくするというものはほとんどない。
【考案の開示】
【考案の詳細な説明】
【考案が解決しようとする課題】
【０００５】従来のトイレブラシケースでは、便器内の洗浄をしたトイレブラシを汚れたままケース内に置くために、極めて不衛生である。
【０００６】又，従来のトイレブラシケースでは不安定な形状が多いため、ブラシの使用時やトイレ内の掃除時に、ブラシケースが転倒する場合が多くあり、その場合に手で起こす必要があり、汚れたブラシケースに触ることは極めて不衛生で、そのうえ使い勝手が悪い。
【０００７】そしてケースの形状も、ブラシの出し入れのためにケースを分割させたり、前面や上部が大きく開いている形状が多く、汚れたままのブラシが丸見えの場合もあり、見栄えも悪く単調で、動物やキャラクターの形状をしたトイレブラシケースはほとんどない。
【課題を解決するための手段】
【０００８】上記目的を達成するために、トイレブラスケース本体容器１の底部に除菌液２を入れることにより、トイレブラシ３及びトイレブラシケース１を常に除菌液２に漬けた状態にする。
【０００９】容器の外周部分にポケット部分１２をつくり、顆粒状の消臭剤及び芳香剤１３を収納する。
【００１０】トイレブラシケースの底部を半球形状５にし、尚且つその底部におもり４を装着する。
【００１１】トイレブラシケースの内部に空洞部分１１を設け、尚且つ除菌液の収納部分の上部先端部分１０を流出止めとし、除菌液２が容器の外部に流出しにくい構造とする。
【００１２】ブラシケースのふた６に板状の突起部分８を付け、ブラシの先端にフック９を取り付ける。
【００１３】容器の外観形状１２を動物やキャラクターの形状にしたり、容器の外周部分にのイラスト等を描く。
【考案の効果】
【００１４】上述したように、本発明の除菌トイレブラシケース１は、トイレブラシ３及びトイレブラシケース１を衛生的に保ち、病原菌等を排除することができる。
【００１５】除菌されて衛生的なトイレブラシケースの外周部分にポケット部分１２を、つくり、消臭材及び芳香剤１３を収納することができるので、除菌効果と共にトイレ内の悪臭を排除し、より快適となる。
【００１６】又、容器底部におもり４を装着することによって、重心が低くなり安定感が増し、転倒しにくい構造となっているので、ブラシ使用時や、掃除の時に転倒しにくい構造となっているうえ、容器内部の空洞１１により、容器が傾いた時でも、除菌液２が外部に流出しにくい構造になっている。
【００１７】ケースのふたの突起部分８及びブラシの先端フック９の利用により、容易にブラシをケースに収めることができる。
【００１８】容器の外観形状１２を動物やキャラクターの形状にしたり、容器の外周部分にイラスト等を描くことにより、この容器を置くだけでトイレ内の雰囲気アップを図ることができる。
【図面の簡単な説明】
【００１９】
【図面１】
トイレブラシケース及びトイレブラシを示した断面図である。
【図面２】
トイレブラシケース及びトイレブラシを示した平面図である。
【図面３】
トイレブラシケース及びトイレブラシを示した正面図である。
【符号の説明】
【００２０】１  トイレブラシケース本体
２  除菌液
３  トイレブラシ
４  おもり
５  ブラシケース底部
６  容器のふた
７  ふたの回転部分
８  ふたの突起部分
９  ブラシの先端フック
１０  除菌液流出止め
１１  容器空洞部分
１２  ポケット部分
１３  顆粒状の消臭材もしくは芳香剤
【図１】
0003109301.tif 000003
【図２】
0003109301.tif 000004
【図３】
0003109301.tif 000005
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
トイレブラシケース本体１の低部５におもり４を装着し、尚且つ形状をだるま状にして、倒れにくい構造とし、除菌液２が外部にこぼれにくくした除菌トイレブラシケース。
【請求項２】
トイレブラシケース容器内部に除菌液２を入れ、常にトイレブラシを除菌液２に漬けた状態にすることのできる請求項１の除菌液トイレブラシケース。
【請求項３】
容器のふた６を上に開く方式とし、容器のふた６の内側部分に板状の突起部分８を取付け、又トイレブラシ３の先端部分にフック９を取り付けることにより、容易に汚れたトイレブラシをブラシケースに収めることができる請求項１の除菌トイレブラシケース。
【請求項４】
容器の外周部分にポケット部分１２をつくり、顆粒状の消臭剤及び芳香剤１３を収納することのできる請求項１の除菌トイレブラシケース。
【請求項５】
容器の外観部分を動物（例：くま・うさぎ・コアラ等）の形状にしたり、又は容器の外周部分にイラスト１４を描く等により、トイレの雰囲気アップを図ることのできる除菌トイレブラシケース。
【手続補正２】
【補正対象書類名】明細書
【補正対象項目名】全文
【補正方法】変更
【補正の内容】
【考案の詳細な説明】
【技術分野】
【０００１】本考案は、下記の５項目の実現を図ったトイレブラシケースである。
１．トイレブラシ及びトイレブラシケースを清潔にすることにより、病原菌等を排除し、トイレ全体を衛生的に保つ。
２．除菌されて衛生的なトイレブラシケースに、消臭剤及び芳香剤を加えることにより、除菌効果と共に悪臭を排除しより快適となる。
３．転倒しにくい構造のトイレブラシケースとする。
４．ブラシの使用時、トイレブラシケースの転倒等を気にせず容易に使用できる。
５．ケースの外形部分を動物の形状にしたり、容器の外周部分にイラスト等を描くことにより、トイレ内の雰囲気アップを図る。
【背景技術】
【０００２】従来のトイレブラシケースでは、便器洗浄後のブラシは汚れたままブラシケースに置かなければならないので、極めて不衛生であり、トイレブラシケースは汚らしいという現実のイメージがある。【０００３】又、従来のトイレブラシケースではブラシケースが不安定なため、ブラシの使用時やトイレ内の掃除時に転倒することが多く、その場合に自らの手で起こす必要があり、汚れたブラシケースに触わることは極めて不衛生である。【０００４】そして、ブラシケースの形状も単調であり、見栄えも悪く、トイレ内の雰囲気を明るく楽しくするというものはほとんどない。
【考案の開示】
【考案が解決しようとする課題】
【０００５】従来のトイレブラシケースでは、便器内の洗浄をしたトイレブラシを汚れたままケース内に置くために、極めて不衛生である。【０００６】又，従来のトイレブラシケースでは不安定な形状が多いため、ブラシの使用時やトイレ内の掃除時に、ブラシケースが転倒する場合が多くあり、その場合に手で起こす必要があり、汚れたブラシケースに触ることは極めて不衛生で、そのうえ使い勝手が悪い。【０００７】そしてケースの形状も、ブラシの出し入れのためにケースを分割させたり、前面や上部が大きく開いている形状が多く、汚れたままのブラシが丸見えの場合もあり、見栄えも悪く単調で、動物やキャラクターの形状をしたトイレブラシケースはほとんどない。
【課題を解決するための手段】
【０００８】上記目的を達成するために、トイレブラスケース本体容器１の底部に除菌液２を入れることにより、トイレブラシ３及びトイレブラシケース１を常に除菌液２に漬けた状態にする。【０００９】容器の外周部分にポケット部分１２をつくり、顆粒状の消臭剤及び芳香剤１３を収納する。【００１０】トイレブラシケースの底部を半球形状５にし、尚且つその底部におもり４を装着する。【００１１】トイレブラシケースの内部に空洞部分１１を設け、尚且つ除菌液の収納部分の上部先端部分１０を流出止めとし、除菌液２が容器の外部に流出しにくい構造とする。【００１２】ブラシケースのふた６に板状の突起部分８を付け、ブラシの先端にフック９を取り付ける。【００１３】容器の外観形状１２を動物やキャラクターの形状にしたり、容器の外周部分にのイラスト等を描く。
【考案の効果】
【００１４】上述したように、本発明の除菌トイレブラシケース１は、トイレブラシ３及びトイレブラシケース１を衛生的に保ち、病原菌等を排除することができる。【００１５】除菌されて衛生的なトイレブラシケースの外周部分にポケット部分１２を、つくり、消臭材及び芳香剤１３を収納することができるので、除菌効果と共にトイレ内の悪臭を排除し、より快適となる。【００１６】又、容器底部におもり４を装着することによって、重心が低くなり安定感が増し、転倒しにくい構造となっているので、ブラシ使用時や、掃除の時に転倒しにくい構造となっているうえ、容器内部の空洞１１により、容器が傾いた時でも、除菌液２が外部に流出しにくい構造になっている。【００１７】ケースのふたの突起部分８及びブラシの先端フック９の利用により、容易にブラシをケースに収めることができる。【００１８】容器の外観形状１２を動物やキャラクターの形状にしたり、容器の外周部分にイラスト等を描くことにより、この容器を置くだけでトイレ内の雰囲気アップを図ることができる。
【図面の簡単な説明】
【００１９】
【図１】トイレブラシケース及びトイレブラシを示した断面図である。
【図２】トイレブラシケース及びトイレブラシを示した平面図である。
【図３】トイレブラシケース及びトイレブラシを示した正面図である。
【符号の説明】
【００２０】１  トイレブラシケース本体
２  除菌液
３  トイレブラシ
４  おもり
５  ブラシケース底部
６  容器のふた
７  ふたの回転部分
８  ふたの突起部分
９  ブラシの先端フック
１０  除菌液流出止め
１１  容器空洞部分
１２  ポケット部分
１３  顆粒状の消臭材もしくは芳香剤
１４容器外周部分のイラスト
【手続補正３】
【補正対象書類名】図面
【補正対象項目名】全図
【補正方法】変更
【補正の内容】
【図１】
0003109301.tif 000006
【図２】
0003109301.tif 000007
【図３】
0003109301.tif 000008
【手続補正書】
【提出日】平成16年12月14日(2004.12.14)
【手続補正１】
【補正対象書類名】実用新案登録請求の範囲
【補正対象項目名】全文
【補正方法】変更
【補正の内容】
【実用新案登録請求の範囲】
【請求項１】
トイレブラシケース本体１の底部に５におもり４を装着し、尚且つ形状をだるま状にして、倒れにくい構造とし、除菌液２が外部にこぼれにくくした除菌トイレブラシケース。
【請求項２】
トイレブラシケース容器内部に除菌液２を入れ、常にトイレブラシを除菌液２に漬けた状態にすることのできる請求項１の除菌トイレブラシケース。
【請求項３】
容器のふた６を上に開く方式とし、容器のふた６の内側部分に板状の突起部分８を取り付け、又トイレブラシ３の先端部分にフック９を取り付けることにより、容易に汚れたトイレブラシをブラシケースに収めることができる請求項１の除菌トイレブラシケース。
【請求項４】
容器の外周部分にポケット部分１２をつくり、顆粒状の消臭剤及び芳香剤１３を収納することのできる請求項１の除菌トイレブラシケース。
【請求項５】
容器の外観部分を動物の形状にするか、容器の外周部分にイラスト１４を描いた請求項１の除菌トイレブラシケース。